(57)【要約】      （修正有）【課題】従来の中通し式鯛カブラに見られる長所を維持しながら、針掛かりの良さとばれにくさを高めた釣具用錘と、それを用いた鯛カブラ用ヘッドと、鯛カブラを提供する。【解決手段】ラインを通す穴が重心Ｇよりも上部に位置する中通しタイプの釣具用錘１であって、穴入口Ｌから出口Ｎに移っていく際、穴の縦（上下）の長さを、任意の部分Ｍを境に長くしていき、穴の釣針側出口Ｎ付近の断面形状を縦長にする。また、ラインを通す穴の上側の長さ（ｌ１−ｍ１−ｎ１）と下側の長さ（ｌ２−ｍ２−ｎ２）を比べたとき、上側が下側よりも長くなるようにデザインする。この錘１を利用した鯛カブラは着底後巻き上げるときに、錘１の向きが変わりやすくなる。それが針掛かりの良さとばれにくさを高めることにつながる。【選択図】図１
0003199608.tif 000002
【実用新案登録請求の範囲】
【請求項１】
ラインを通す穴が重心よりも上部に位置する中通しタイプの釣具用錘であって、ラインを通す穴の縦（上下）の長さが、竿側から釣針側に移っていく際、任意の地点を境に長くなっていき、穴の釣針側出口付近の断面形状が縦長になっている釣具用錘。
【請求項２】
請求項１の形状を採用した釣具用錘であって、ラインを通す穴の上側の長さと下側の長さを比べたとき、上側が下側よりも長くなるようにデザインされた釣具用錘。
【請求項３】
請求項１または請求項２のいずれかに記載の釣具用錘を用いた鯛カブラ用ヘッド。
【請求項４】
請求項３に記載のヘッドを用いた鯛カブラ。
【考案の詳細な説明】
【技術分野】
【０００１】  本考案は、主に鯛カブラのヘッドとして用いられる釣具用錘に関するものである。
【背景技術】
【０００２】  多くの釣り人が使用している『鯛カブラ』（別名『鯛ラバ』）と呼ばれる仕掛けは、ヘッドと呼ばれる錘に数センチのハリスと釣針、そしてラバー等の集魚具が取り付けられたもので、主に船から真鯛を釣るのに使われている。【０００３】  数年前まで、鯛カブラは、ヘッドに付けられた前方のリングに道糸を、後方のリングにハリスを直接結ぶ『固定式』と呼ばれるタイプのものが主流だったが、最近は、ヘッドに穴が貫通しており、リールに巻かれたライン（道糸）の端をその穴に通してハリスと結ぶ『中通し式』（別名『遊動式』）が主流になってきた。【０００４】  『中通し式』が主流になった理由は、主に２つある。１つ目は、鯛カブラを水中へ沈めていくときにヘッドがスライドしてラバー等の集魚具と離れることで、真鯛の食いを誘発できる可能性が高まると考えたからである。そして２つ目は、巻き上げ中に真鯛が鯛カブラを食いに来たとき、ヘッドとラインが結合されていないため、ヘッドがもたらす抵抗が軽減され、針に掛かりやすく、掛かってからもばれにくいからである。
【先行技術文献】
【特許文献】
【０００５】
【特許文献１】特開２０００−２１７４８４号公報
【特許文献２】特開２０１４−２１７３３４号公報
【特許文献３】特許第４７９２０１９号公報
【特許文献４】登録実用新案第３１９０１２６号公報
【特許文献５】登録実用新案第３１９２９３５号公報
【考案の概要】
【考案が解決しようとする課題】
【０００６】  『中通し式』のヘッドを用いた鯛カブラが普及したことで、一般的な傾向として、真鯛の釣果は向上した。しかし、アタリがありながら針に掛からなかったり、一度針掛かりしても途中でばれてしまったりする確率が多少減ったものの、まだ十分と言える状況ではない。【０００７】  こうした事態が依然として起きるのは、従来の鯛カブラに用いられている『中通し式』ヘッドが、ヘッドのかなり上部の位置に、前部から後部に向けて細長くて断面形状と面積にあまり変化がない（断面がどこでも小さな円型になる）穴が貫通しているものがほとんどだからである。こうしたヘッドの場合、ラインがヘッドの重心よりもかなり上を通ることになるため、沈めていくときは、ヘッドが前方（竿側）にスライドしやすいという利点が生まれる。【０００８】  しかし、最も真鯛が食いつきやすい巻き上げの際に、ヘッドの向きが変わりにくくなるため、針先が釣り人の方向に向きにくくなる（針先が上向きにならず寝てしまう）傾向が強いため、それが欠点となって真鯛が釣針に掛かりにくくなる現象がしばしば生じている。【０００９】  また、真鯛を掛けてからは、真鯛が針を外そうと頭を振った際、ヘッドがスライドして力を逃がすものの、重心がラインから大きく離れているために、スライドしたヘッドが暴れやすく、それが原因でばれてしまうことがしばしば起きている。【０００１０】  本考案は、上記のような事態によって生じる釣り人の不満を解消するために、『中通し式』ヘッドの長所をより生かすべく、ラインを通す穴の位置と形状を変更して、真鯛をより掛かりやすくかつ、ばれにくくし、釣りあげる確率を従来よりも上げることを課題としたものである。
【課題を解決するための手段】
【０００１１】  上記の課題を手っ取り早く解決する手段として、ヘッドの穴の位置を少し下に下げて、重心に近づけたり、穴を後方下がりの向きに開けたりするなどが考えられるが、そうすると、鯛カブラを水中へ沈めていくときにヘッドがスライドしにくくなるだけでなく、場合によっては、ヘッドの底部側からではなく、後部側から沈む現象が起き、ヘッドに追従して沈んでいくべき集魚具が、ヘッドにくっついてほぼ同時に沈み、真鯛の食い気を誘発しにくくなる。さらに、ヘッドが着底した際も、集魚具と釣針が海底に近くなり過ぎ、真鯛の食い気がそがれたり、根掛かりが多発したりする事態が起きやすくなる。【００１２】  そこで、こうした問題点を解決するために、ヘッドを貫通している穴の形状を工夫することで、鯛カブラを沈ませる時と巻き上げる時で、ラインの通る位置を変えることはできないか、と考えた。【００１３】  要するに、鯛カブラを沈ませる時には、なるべくヘッドの重心から離れた位置をラインが通り、鯛カブラを巻き上げる時には、従来のヘッドよりもラインがヘッドの重心に近い位置を通るようにできれば、理想的な沈みと理想的な巻き上げができると考えたわけである。【００１４】  先ず、竿側の穴の入口を従来のヘッドの平均的な位置よりもやや下に設定する。穴の入口の形状と大きさは従来のヘッドと変える必要はない。【０００１５】  穴の後方出口に向けて、穴の途中から上方の長さを伸ばすことで、穴の上側に傾斜をつける。【００１６】  ヘッドが沈んでいくとき、重心バランスを考えて、ラインが、貫通穴の上側を通るようにデザインする。【００１７】  穴下側は、ヘッドのみを止水に沈める場合、水平に近い直線になるよう、デザインするのが最適と思われるが、細かな形状を規定することはできない。但し、ヘッドの重心よりも上部を通っていることが必須条件になる。【００１８】  重要になるのは、穴後部出口の上端と下端の位置関係である。穴の上側の長さと穴の下側の長さを比べた場合、上側の長さ＞下側の長さに設定しなければならない。【００１９】  穴の長さを変化させるのは縦幅のみで、横幅を変化させる必要性はない。
【考案の効果】
【００２０】  本考案を取り入れた釣具用錘をヘッドとして利用した鯛カブラを使用すれば、従来の中通し式ヘッドの長所をそのまま生かしながら、巻き上げ時に、真鯛が食ってきても針に掛かりにくい、一度針に掛かった真鯛がばれやすいという従来品に見られた問題点を改善できる。
【図面の簡単な説明】
【００２１】
【図１】本考案に係る釣具用錘の縦断面図である。
【図２】本考案に係る釣具用錘を沈めていく際の特徴を示した縦断面図である。
【図３】本考案に係る釣具用錘を巻き上げる際の特徴を示した縦断面図である。
【図４】本考案に係る釣具用錘の正面図で、（ａ）が前面、（ｂ）が背面である。
【図５】本考案に係る釣具用錘を使用した鯛カブラの斜視図である。
【図６】本考案に係る釣具用錘の実施形態のうち、着底時までを示した作用説明図である。
【図７】本考案に係る釣具用錘の実施形態のうち、巻き上げ時を示した作用説明図である。
【考案を実施するための形態】
【００２２】  図１は、上記の考えに基づき考案したヘッドを横から見た断面図である。Ａが前方（竿側）、Ｂが後方（釣針側）になる。上下は、沈ませていくとき、通常、Ｃが上方、Ｄが下方になる。
【００２３】  図２は、ヘッドに道糸を通して、釣針と集魚具等を取り付けたハリスと結んだ状態（使用時）の断面図である。ラインの引っ張る力が、Ｅの方向（道糸の引っ張る力）とＦの方向（集魚具等が引っ張る力）が均等ならば、止水に沈めた場合、図２のように、Ｃを上、Ｄを下にして沈んでいくよう、ヘッドの形状と貫通穴をデザインする。
【００２４】  図１に示した、竿側の穴の入口Ｌを従来のヘッドの平均的な位置（Ｋ付近）よりもやや下に設定する。入口Ｌの穴の形状と大きさは従来のヘッドと変える必要はない。
【００２５】  穴の後方出口Ｎに向けて、穴の途中Ｍ部分から上方の長さを伸ばすことで、図１のように、穴の上側ｍ１−ｎ１間に傾斜をつける。
【００２６】  穴の縦の長さが長くなり始めるＭの位置は、ヘッド全体の形状によって最適な場所が異なると思われる。また、位置が多少前後しても機能的に大きな問題が生じないと思われるので、「任意の位置」とし、細かく規定しない。
【００２７】  穴上側の傾斜のつけ方についても、前方へスライドしやすくなっていればそれでよく、細かく規定しない。
【００２８】  図２に示したように、ヘッドが沈んでいくとき、ラインは、貫通穴の上側（ｌ１−ｍ１−ｎ１）を通る。ラインの竿側の入口Ｌは従来のヘッドよりも重心Ｇに近い位置にあること。ラインがヘッド内の穴を通る距離が長くなること。これら２点は、ヘッドを前方（竿側）へスライドさせにくくしている。しかし、途中から穴の上側（ｍ１−ｎ１）に傾斜がついている。この傾いた角度と、傾斜により次第に重心から離れた位置をラインが通ることが、ヘッドを前方へスライドさせやすくする。
【００２９】  以上のように、プラス要因とマイナス要因で相殺されるため、スライドのしやすさは、従来のヘッドと遜色ないものとなる。
【００３０】  また、穴に傾斜があり、ラインの出口がヘッドの後方上部になるため、ヘッドが着底した瞬間の釣針の位置も従来のヘッド同様、高い位置にキープされた状態になりやすい。これにより真鯛の食いを誘発しやすく、根掛かりも回避しやすいものとなる。この点については、図６に示した通りである。
【００３１】  図１に示した、穴下側（ｌ２−ｍ２−ｎ２の部分）は、ヘッドのみを止水に沈めていく際、図１のように、水平に近い直線になるよう、デザインするのが最適と思われるが、細かな形状を規定することはできない。但し、ヘッドの重心Ｇよりも上部を通っていることが必須条件になる。
【００３２】  重要になるのは、穴後部の出口Ｎの上端ｎ１と下端ｎ２の位置関係である。穴の上側（ｌ１−ｍ１−ｎ１）の長さと穴の下側（ｌ２−ｍ２−ｎ２）の長さを比べた場合、上側の長さ＞下側の長さに設定しなければならない。これは、着底から巻き上げに入ったとき、ラインが前方へ引っ張られる力を利用して、ラインをｎ１からｎ２の位置へスライドさせるためである。上側の長さと下側の長さにどれくらいの差異をつければよいのかについては、はっきりとした答えは出せていないが、スムーズかつ確実にラインをスライドさせるためには、角Ｈの角度を９０°以上（鈍角）にするのが望ましいと思われる。
【００３３】  また、ラインがスライドしていく際、集魚具までヘッドの穴の中に入っていかないよう、ヘッド後方出口Ｎの穴の横幅は常に、ヘッド前方入口Ｌの横幅と同じ程度に留める必要がある。したがって、上下を図の向きのまま後方Ｂの方向から貫通穴出口Ｎを見た場合、穴の断面は、図４（ｂ）から分かるように、必然的に縦長の形になる。
【００３４】  さらに、円滑にラインをスライドさせる、及び、ラインがスライドしていく際、集魚具の部分がヘッドの穴に食い込まなくするため、図５に示したように集魚具の前に硬質の中通し玉を挿入すると良い。
【００３５】  巻き上げに入ると、図３に示したように、ラインは安定してｌ１−ｎ２を直線的に通る。このときラインが通る位置は従来の中通し式ヘッドよりも重心に近くなるため、ヘッドが引っ張られる方向へヘッド前面が向きやすくなる。この結果、道糸とハリス・集魚具が一直線に近い状態になりやすく、針先も竿先の方を向きやすくなる（針先が立ちやすくなる）。これによって、真鯛が針に掛かる確率が上がることになる。この様子は、図７に示した通りである。
【００３６】  真鯛が掛かってから、釣り上げるまでの間に、真鯛は何度も頭を振って針を外そうとする。そのときの勢いで、ヘッドが前方（竿側）へスライドしてはもとに戻る状況がたびたび起こる。これによって真鯛が逃げようとする力をいなし、ばれにくくする。これが可能なのが、中通し式鯛カブラの長所なのだが、今までは、ラインがヘッドの重心からかなり離れたところを通っていたので、ヘッドがスライドした際、振り子の原理により、ヘッドが暴れやく、それが原因で真鯛がばれてしまうことも多々あった。本考案では、ヘッドのＬ−Ｍ間は、必ず重心に近い位置をラインが通るので、掛けてから真鯛が頭を振った際のヘッドの暴れが軽減され、ばらしをさらに減らすことが期待できる。図３と図７右端の例からその現象と状況を掴みとることができる。
【産業上の利用可能性】
【００３７】  本考案を取り入れた釣具用錘は、主に鯛カブラ用のヘッドとして使用し、効果を上げることができる。また、他の仕掛けの錘として使用してもすることができる。対象魚種も真鯛だけにとどまらず、様々な魚を狙う際に使用が可能である。
【符号の説明】
【００３８】Ａ  前方
Ｂ  後方
Ｃ  上方
Ｄ  下方
Ｅ  道糸の引っ張る方向
Ｆ  集魚具等の引っ張る方向
Ｇ  錘の重心
Ｈ  錘の穴後方出口下部の角度
Ｋ  従来品の穴入口の平均的な位置
Ｌ  貫通穴入口
Ｍ  貫通穴の縦幅が長くなり始める部分
Ｎ  貫通穴出口
ｌ１  貫通穴入口上部
ｌ２  貫通穴入口下部
ｍ１  貫通穴Ｍ地点の上部
ｍ２  貫通穴Ｍ地点の下部
ｎ１  貫通穴出口上部
ｎ２  貫通穴出口下部
１  錘（ヘッド）
２  ライン（道糸）
３  ライン（ハリス）
４  釣針
５  集魚具
６  硬質玉
７  鯛カブラ（「鯛ラバ」と呼ばれることもある）
８  船
９  釣竿
１０  海底
１１  魚（真鯛）
１２  着底直前の本考案鯛カブラの状況（代表的な一例）
１３  巻き上げ時の本考案鯛カブラの状況
１４  掛かった真鯛が頭を振った瞬間に起こる本考案鯛カブラの状況
【図１】
0003199608.tif 000003
【図２】
0003199608.tif 000004
【図３】
0003199608.tif 000005
【図４】
0003199608.tif 000006
【図５】
0003199608.tif 000007
【図６】
0003199608.tif 000008
【図７】
0003199608.tif 000009